(57)【要約】【課題】  芯地の折り曲げが容易となる芯地を裁断するための裁断データ作成装置と裁断データ作成方法を提供することを目的とする。【解決手段】  途中で折り曲げて使用する芯地のパターン入力を行い、芯地の折り曲げ位置に折り曲げ線を入力し、入力した折り曲げ線に沿って一定間隔毎に裁断線の設定を行い、芯地パターンと折り曲げ線と折り曲げ線に沿った一定間隔毎に入力を行う裁断線の設定に基づき、芯地パターンの外形に対して裁断線を引くと共に折り曲げ線に沿って一定間隔毎に裁断線を引き、裁断データを作成する。【選択図】図３
2008303491.tif 000002
【特許請求の範囲】
【請求項１】
裁断刃を装着した裁断ヘッドを裁断線に沿って移動させ裁断テーブル上に載置したシート材の裁断を行う裁断機によりシート状の芯地材から芯地パターンを裁断するための裁断データを作成する裁断データ作成装置において、  
途中で折り曲げて使用する芯地のパターン入力を行う芯地パターン入力手段と、
芯地パターン入力手段で入力した芯地パターンについて芯地の折り曲げ位置に折り曲げ線の入力を行う折り曲げ線入力手段と、
入力した折り曲げ線に沿って一定間隔毎に裁断線の設定を行う折り曲げ線設定手段と、
前記入力した芯地パターンと折り曲げ線と折り曲げ線に沿った一定間隔毎に入力を行う裁断線の設定に基づき、芯地パターンの外形に対して裁断線を引くと共に折り曲げ線に沿って一定間隔毎に裁断線を引く裁断線作成手段とを設けたことを特徴とする、芯地パターン用の裁断データの裁断データ作成装置。
【請求項２】
前記裁断線作成手段は、前記折り曲げ線入力手段によって入力された折り曲げ線の両端にノッチを入力することを特徴とする、請求項１に記載の裁断データ作成装置。
【請求項３】
前記裁断線作成手段は、前記折り曲げ線設定手段で設定される一定間隔毎の裁断線の長さにより、裁断刃あるいはノッチ刃が選択され裁断を行うように設定することを特徴とする請求項１または２に記載の裁断データ作成装置。
【請求項４】
裁断刃を装着した裁断ヘッドを裁断線に沿って移動させ裁断テーブル上に載置したシート材の裁断を行う裁断機によりシート状の芯地材から芯地パターンを裁断するための裁断データを作成する裁断データ作成方法において、  
途中で折り曲げて使用する芯地のパターン入力を行い、
入力した芯地のパターンについて芯地の折り曲げ位置に折り曲げ線の入力し、
入力した折り曲げ線に沿って一定間隔毎に裁断線の設定を行い、
前記芯地パターンと折り曲げ線と折り曲げ線に沿った一定間隔毎に入力を行う裁断線の設定に基づき、芯地パターンの外形に対して裁断線を引くと共に折り曲げ線に沿って一定間隔毎に裁断線を引くことを特徴とする、芯地パターン用の裁断を行う裁断データ作成方法。
【発明の詳細な説明】
【技術分野】
【０００１】
この発明は裁断機における裁断データの作成に関し、特に芯地の裁断を行う裁断データ作成装置と作成方法に関するものである。
【背景技術】
【０００２】
衣服の製作する際、製品の保型性を高め、所望するシルエットを与えるために芯地を表布の裏面に接着あるいは縫いつけて、芯地を表布と裏布との間に挟み込むようにしている。
例えばジャケットの前身頃では、身頃の裾部において、芯地を表布と共に折り返して用いることで、ジャケットの裾部に張りを持たせるようにしている。
【０００３】
従来、シート状の芯地材から芯地パーツを裁断する際に、芯地の折り曲げ位置を示すために、図５のようにオペレータが裁断データの作成時において折り曲げ位置の両端にノッチを入れるようにしていた。
図５において１００は前身頃１０２の裾部であり、１０４は前身頃の用いられる芯地で、芯地の重ね合わせ位置１０６に重ねて、表布である前身頃１０２と共に折り曲げ位置１０８で折り曲げる。芯地１０４における折り曲げ線１０８の両端には一対のＶ字状のノッチ１１０を入れておくことで、芯地の折り曲げる位置を簡単に把握することができる。
なお実際の芯地において折り曲げ線は仮想線であり、芯地上には折り曲げ線は付与されていない。
【０００４】
しかしこのような裁断データにより裁断した芯地は、折り曲げ位置の両端にノッチがあるため折り曲げ位置は分かるものの、芯地を正確に折り曲げるのは難しく、作業者が芯地に対して手で折り曲げて仮想の折り曲げ線を付けてから芯地の折り曲げを行っている。
このように作業者が芯地を折り曲げることは非常に手間と時間のかかる作業である。折り曲げ線が曲線であればさらに手間と時間がかかり、仕上がりにもばらつきが生じるおそれがある。
【発明の開示】
【発明が解決しようとする課題】
【０００５】
本発明は以上のような課題を解決するためのものであり、芯地の折り曲げが容易となる芯地を裁断するための裁断データ作成装置と裁断データ作成方法を提供することを目的とする。
【課題を解決するための手段】
【０００６】
この発明の裁断データ作成装置は、裁断刃を装着した裁断ヘッドを裁断線に沿って移動させ裁断テーブル上に載置したシート材の裁断を行う裁断機によりシート状の芯地材から芯地パターンを裁断するための裁断データを作成する裁断データ作成装置において、  
途中で折り曲げて使用する芯地のパターン入力を行う芯地パターン入力手段と、
芯地パターン入力手段で入力した芯地パターンについて芯地の折り曲げ位置に折り曲げ線の入力を行う折り曲げ線入力手段と、
入力した折り曲げ線に沿って一定間隔毎に裁断線の設定を行う折り曲げ線設定手段と、
前記入力した芯地パターンと折り曲げ線と折り曲げ線に沿って一定間隔毎に入力を行う裁断線の設定に基づき、芯地パターンの外形に対して裁断線を引くと共に折り曲げ線に沿って一定間隔毎に裁断線を引く裁断線作成手段とを設けたことを特徴とする。
【０００７】
好ましくは、前記裁断線作成手段は、前記折り曲げ線入力手段によって入力された折り曲げ線の両端にノッチを入力することを特徴とする。
【０００８】
さらに好ましくは、前記裁断線作成手段は、前記折り曲げ線設定手段で設定される一定間隔毎の裁断線の長さにより、裁断刃あるいはノッチ刃が選択され裁断を行うように設定することを特徴とする。
【０００９】
また本発明の裁断データ作成方法は、裁断刃を装着した裁断ヘッドを裁断線に沿って移動させ裁断テーブル上に載置したシート材の裁断を行う裁断機によりシート状の芯地材から芯地パターンを裁断するための裁断データを作成する裁断データ作成方法において、  
途中で折り曲げて使用する芯地のパターン入力を行い、
入力した芯地のパターンについて芯地の折り曲げ位置に折り曲げ線の入力し、
入力した折り曲げ線に沿って一定間隔毎に裁断線の設定を行い、
前記芯地パターンと折り曲げ線と折り曲げ線に沿った一定間隔毎に入力を行う裁断線の設定に基づき、芯地パターンの外形に対して裁断線を引くと共に折り曲げ線に沿って一定間隔毎に裁断線を引くことを特徴とする。
【００１０】
この明細書において、裁断データ作成装置に関する記載はそのまま裁断データ作成方法にも当てはまり、逆に裁断データ作成方法に関する記載はそのまま裁断データ作成装置にも当てはまる。
【発明の効果】
【００１１】
この発明では、芯地の折り曲げ位置に折り曲げ線を入力し、この折り曲げ線に沿って自動的に一定間隔毎に裁断線の入力を行う裁断データを作成することができる。この裁断データにより裁断した芯地は折り曲げ線に沿って容易に折り曲げることができる。
【００１２】
さらに本発明によれば、折り曲げ線の両端に１対のノッチが入力され、これにより裁断後の芯地における折り曲げ位置の確認が容易となる。
【００１３】
さらに本発明によれば、折り曲げ線に沿って入力される一定間隔毎の裁断線はその長さにより、裁断ヘッドに設けられた裁断刃あるいはノッチ刃が選択され、その何れか一方あるいは両方を使用して裁断することで、一定間隔毎の裁断線を確実に裁断することができる。
【発明を実施するための最良の形態】
【００１４】
以下にこの発明を実施するための最良の形態を示すが、これに限るものではない。
【実施例】
【００１５】
図１〜図４に、実施例の裁断データの作成装置およびその作成方法を示す。図１は実施例の裁断データの作成装置の構成を示した図である。１は裁断データ作成装置で、各種処理を行うＣＰＵ２と、各種プログラムを記録したＲＯＭ４と、読み出し書き込み可能な作業用メモリを備えたＲＡＭ６とバス８等を備えたコンピュータから構成される。また、各種指示の入力やデータ入力を行うためのキーボードやマウスなどの適宜入力手段１０を備える。そしてモニタ１２、ディスクドライブ１４、ＬＡＮインターフェース１６などを備える。裁断データ作成装置１はＬＡＮインターフェース１６を介してＬＡＮに接続され、作成された裁断データを裁断機に送ることが可能である。
【００１６】
ＲＯＭ４には、後述する芯地用の裁断データ作成プログラム１８が記憶され、これには芯地のパターンを入力するパターン入力命令２０、芯地パターンに対して折り曲げ位置に折り曲げ線を入力する折り曲げ線入力命令２２、入力した折り曲げ線に対して一定間隔毎の裁断線を作成するための設定を行う折り曲げ線設定命令２４、折り曲げ線の両端にノッチを付与するノッチ付与命令２６、芯地パターンの外形に対して裁断線を引くと共に折り曲げ線に沿って一定間隔毎に裁断線を付加した芯地パターンを裁断するための裁断データを作成する裁断線作成命令２８等を備える。
また本実施例の裁断データ作成装置１では、ＲＯＭ４には型紙データを作成する型紙作成プログラム３０を記憶させており、型紙の作成や編集なども行うことができるように構成している。
【００１７】
ＲＡＭ６には、ＲＯＭ４に設けた各種命令を用い、ＣＰＵ２で処理して得られたデータを記憶する。ここには各エリア別の記憶領域があり、パターンデータの記憶領域３２、折り曲げ線の記憶領域３４、折り曲げ線の設定を記憶する記憶領域３６、付与されるノッチの情報を記憶する記憶領域３８、作成した裁断線を記憶する記憶領域４０等がある。なおこれに代えて外部記憶手段４２に記憶させても良い。
【００１８】
本発明のおける芯地用の裁断データを作成する裁断データ作成処理について、図２のフローチャートを参照しながら説明を行う。
まず図２のステップｓ１で処理を開始し、ステップｓ２でパターン入力命令２０はシート状の芯地材から裁断する芯地パターン４６の入力を行う。本実施例ではジャケットの前身頃４４に用いる芯地４６を例に説明を行う。
なお入力される芯地パターン４６は型紙作成プログラム３０により作成したり、あるいはデジタイザーなどで入力したりすることができる。
入力された芯地パターン４６をモニタ１２に表示し、ステップｓ３でオペレータは折り曲げ線入力命令２２により芯地パターン４６に対して折り曲げる位置を折り曲げ線４８として指定する。この折り曲げ線は直線でも曲線でも構わない。
次にステップｓ４ではステップｓ３で入力した折り曲げ線４８に対して、折り曲げ線設定命令３６により一定間隔毎の裁断線５０とするための設定値の入力を行う。設定する項目としては、裁断線の長さと各裁断線間の間隔などについて入力する。本実施例では裁断線の長さは３０ｍｍ、間隔は５ｍｍとし、ＲＡＭ６の折り曲げ線の設定を記憶する記憶領域３６に記憶する。
【００１９】
次にステップｓ５に進み、ノッチ付与命令２６により必要に応じて芯地パターン４６における折り曲げ線４８の両端に１対のノッチ５２，５２を付与する。ノッチ５２の形状としてはＶ字状のノッチが好ましく、ノッチ５２の設定としては、ノッチの幅と深さについて所望の寸法を入力する。芯地４６の折り曲げ位置において１対のノッチ５２，５２を入力することで、芯地４６を裁断した後に折り曲げ位置を容易に確認することが可能となる。    
なおこのノッチは必ずしも入れなければならないものではない。
【００２０】
ステップｓ６では、ステップｓ２で入力された芯地パターン４６の外形に対して裁断線を作成すると共に裁断線作成命令２８によりステップｓ３で入力された折り曲げ線４８に沿ってステップｓ４で設定した一定間隔毎の裁断線５０を作成するための値（裁断線の長さ３０ｍｍ、間隔５ｍｍ）に基づいて芯地４６の折り曲げ位置に裁断線５０を作成する。
なおステップｓ５で折り曲げ線４８の両端にノッチ５２，５２を入れるように設定している場合は、例えば芯地４６の折り曲げ線上において芯地４６の両端から所定長さを除いた折り曲げ線上に、一定間隔毎の裁断線５０を作成する。例えばノッチの深さを５ｍｍと設定している場合は、芯地４６の折り曲げ線４８の両端からそれぞれ１０ｍｍはノッチ形成用とし、それ以外の折り曲げ線上に一定間隔毎の裁断線５０を作成する。
裁断線５０の長さはステップｓ４でオペレータにより入力されるが、入力された長さに応じて図示しない裁断機の裁断刃で裁断するか、あるいはノッチ刃で裁断するかが選択され、裁断線５０の長さが短ければノッチ刃で裁断するように自動で設定されるようにしてもよい。
このようにして芯地４６のパターンを裁断する裁断データを作成し、作成した裁断線を裁断データとして記憶領域４０に記憶し、ステップｓ７で処理を終了する。
【００２１】
図３は、本発明により作成される芯地パターンを示した図である。図３（ａ）は芯地４６を用いる前身頃４４の裾部であり、図３（ｂ）は本発明により作成される芯地パターン４６を示した図である。
芯地４６は前身頃４４の裾部４５に重ねて、前身頃の布帛と共に折り曲げられて使用する。
芯地４６の折り曲げ位置における左右両端には折り曲げ位置が簡単に分かるようにノッチ５２，５２を入れている。このノッチ間５２，５２における折り曲げ線４８に沿って一定間隔毎の裁断線５０が繰り返し引かれる。本実施例においては、３０ｍｍの裁断線５０を５ｍｍの間隔を開けて裁断する。
【００２２】
図４は図３における芯地パターン４６の拡大図である。このように芯地４６の折り曲げる位置である折り曲げ線４８に沿って、一定間隔毎の裁断線５０を入れることで、芯地４６を容易にかつ確実に折り曲げることができる。特に曲線状に折り曲げる場合、本発明では折り曲げ線４８に沿って裁断線５０が入っているため、いつも正確に折り曲げることが可能である。
【００２３】
なお、本実施例では折り曲げ線４８に沿って裁断線５０を一定間隔毎に引いているが、裁断線５０は必ずしも同じ長さあるいは一定間隔でなくても構わず、折り曲げ線４８に沿って部分的に裁断線５０が引かれれば構わない。
【図面の簡単な説明】
【００２４】
【図１】実施例の裁断データ作成装置のブロック図である。
【図２】裁断データ作成装置における芯地用の裁断データを作成する裁断データ作成処理のフローチャートである。
【図３】本発明により作成される芯地とこの芯地を用いる前身頃の裾部を示した図である。
【図４】図３における芯地の拡大図である。
【図５】従来の芯地パーツを示した図である。
【符号の説明】
【００２５】
１  裁断データ作成装置
２  ＣＰＵ
４  ＲＯＭ
６  ＲＡＭ
８  バス
１０  入力手段
１２  モニタ
１４  ディスクドライブ
１６  ＬＡＮインターフェース
１８  裁断データ作成プログラム
２０  パターン入力命令
２２  折り曲げ線入力命令
２４  折り曲げ線設定命令
２６  ノッチ付与命令
２８  裁断線作成命令
３０  型紙作成プログラム
４４  前身頃
４６  芯地
４８  折り曲げ線
５０  裁断線
５２  ノッチ
１０２  前身頃
１０４  芯地
１０６  重ね合わせ位置
１０８  折り曲げ線
１１０  ノッチ
【図１】
2008303491.tif 000003
【図２】
2008303491.tif 000004
【図３】
2008303491.tif 000005
【図４】
2008303491.tif 000006
【図５】
2008303491.tif 000007